(57)【特許請求の範囲】
【請求項１】
多数のポット状苗室を有する機械移植用育苗箱の各苗室に培土を入れ、培土に水が浸透するまで育苗箱全体を水中に浸漬した後、育苗用に調整したイグサ挿し苗を挿入することを特徴とする移植機用イグサ苗の栽培法。
【請求項２】
粒径２ｍｍ以下の成分を５０％以上含有する培土を用いることを特徴とする請求項１記載の栽培法。
【請求項３】
イグサ挿し苗を挿入後の育苗箱を、底壁に通水自在でかつイグサ苗の生長した根が通過し得る多数の穴が形成された有底の受け箱に載置した状態で、育苗用の苗床に設置して育苗することを特徴とする請求項１又は２に記載の栽培法。
【発明の詳細な説明】
【０００１】
【発明が属する技術分野】
本発明は、機械移植用イグサ苗を栽培する方法に関する。
【０００２】
【従来の技術】
従来、イグサは、新芽を持つ移植用の苗株を１１月ごろ、親株から株分けしてイグサ苗を調整し水田に移植する方法で栽培されていた。イグサは株間を詰めて栽培することから、１０ａ当たり２，７０００本もの苗株が植え付けられる。このような大量の苗を短期間で調整し移植する作業は過酷な労働であり、機械移植による省力化が強く求められていた。
本出願人は、底面に押出穴を設けた多数のポット状苗室を一定間隔に配してなる可撓性のポット育苗箱の各苗室にイグサ苗を育苗し、該ポット育苗箱を機械に搭載して順次各苗室からイグサ苗を機械的に押出し、本田に移植するよう構成されたイグサ用の移植機を提供した（特公昭５７−２２２８８号公報）。
【０００３】
本出願人は、さらに、改良を重ね、育苗用のイグサ苗（以下、挿し苗という）の調整作業の省力化を実現するために、ポット育苗箱の土入れ方法及び装置等を提供した（特開平９−９７９２号公報）。即ち、イグサ苗は、根痛みがしやすいために、株分け後直ちに植え付ける必要がある。しかるに、上記のごとく、圃場当たり必要なイグサ苗株の数は膨大であり、手作業で育苗用の挿し苗をポット苗箱の各苗室に迅速かつ的確に植え付けることは容易でない。特開平９−９７９２号公報記載の方法では、ポット苗箱の各苗室に育苗用に調整した挿し苗を挿入（空挿し）した後、土入れをし、最後に潅水する。実際には、図５に示すように、底面に押出穴を設けた多数のポット状苗室２を一定間隔に配してなる可撓性ポット育苗箱の上方に、各ポット状苗室に対応する位置にガイド孔ｇを有する挿苗ガイドＧ（図７参照）を配し、該ガイド孔ｇを通して各ポット状苗室２に直立状態に挿し苗ａ（２〜３茎株）を挿入した後、挿し苗ａの上からガイド孔ｇを通して各苗室に土４を入れ、潅水する。この半自動植付け手段を図８の概略図により説明すると、挿苗ガイドＧをセットしたポット育苗箱Ｂに挿し苗ａを手作業で挿し、ポット育苗箱Ｂを前方（図中、右方向）に移動させる移動手段を備えた搬送テーブルＴに載置すると、該ポット育苗箱Ｂが搬送され、土入れと潅水が自動的に行われる。即ち、ポット育苗箱Ｂが床土供給装置１５の下方に至ると該床土供給装置１５から床土が落下し、挿苗ガイドＧのガイド孔ｇを通してポット状苗室２に土が充填される。余分な土は傾動部Ｔａで苗箱Ｂを傾けることにより除去され、灌水装置１６の下方で灌水される。
【０００４】
【発明が解決しようとする課題】
しかしながら、上記の空挿しを含む方法では、ポット状苗室に挿入された挿し苗ａが倒れないように挿苗ガイドＧを膨大な数のポット育苗箱Ｂにセットしなければならず、挿し苗作業の効率が低下するという課題があった。また、移植機に適合する移植用イグサ苗を生育させるために挿し苗ａを各ポット状苗室の底まで十分に挿入する必要があり、挿し苗ａの根部を図６に示すように厳密に整理しておかなければならず、そのために株分け作業に多くの時間を費やしていた。さらに、土入れ後の潅水では挿し苗ａの活着に十分な水分が供給されず、苗挿し作業終了時から床並べまでの管理に細心の注意が要求され、作業者の負担が大きかった。
【０００５】
【課題を解決するための手段】
本発明者らは、機械移植用イグサ苗の効率的で簡便な栽培方法を開発することを目的として鋭意研究し、本発明方法を完成するに至った。即ち、本発明は多数のポット状苗室を有する機械移植用育苗箱の各苗室に培土を入れ、培土に水が浸透するまでポット育苗箱全体を水中に浸漬した後、育苗用に調整したイグサ挿し苗を挿入することを特徴とする移植機用イグサ苗の栽培法を提供するものである。
【０００６】
【発明の実施の形態】
本発明の栽培法には、最小限、ポット状苗室を有するポット育苗箱と、該ポット育苗箱の苗室に入れるための土、及び土入れ後のポット育苗箱を水中に浸漬させるための水槽が必要である。これらはいずれも当該技術分野で既知の入手可能な製品であってよい。
また、本発明の栽培法には、イグサ挿し苗が活着し、生育することを条件として任意の培土を用いることができるが、機械移植用にしっかりした根鉢を形成させるためには粒径２ｍｍ以下の成分を５０％以上含有する土壌が好ましく、７５％以上含有することがより好ましい。
【０００７】
ここで、土壌の粒径分布は、国際土壌学会法によると、礫（２ｍｍ以上）、粗砂（２〜０．２ｍｍ）、細砂（０．２〜０．０２ｍｍ）、シルト（０．０２〜０．００２ｍｍ）、粘土（０．００２ｍｍ以下）と分類されている。この粒径分布の基準に従い、本発明の培土は礫を除く粗砂〜粘土（細土）またはそれらに相当する成分の含有率が５０％以上であることが好ましく、７５％以上であることがより好ましい。
本発明の方法には、上記範囲の粒度分布を示す任意の土壌を用いることができ、育苗や栽培に使用されており当業者が入手可能なあらゆる農業用資材を含み、山土、田土、人工培土など、特に限定されない。
【０００８】
本発明において、「培土に水が浸透するまでポット育苗箱を水中に浸漬する」とは、ポット状苗室の土壌がイグサ挿し苗の活着生長に適した水分を保有することを意味する。浸漬する時間は培土の構成成分、粒度分布によっても異なるが、通常、数秒から数分の間である。なお、苗挿し作業を確実に行うために、培土のｐＦ値は１．７以下であることが好ましい。ここでｐＦ値は、土壌粒子間の間隙に毛管力で保持される土壌水の張力であり、土壌が水分を保持している状態を表す値である。
本発明方法では、培土を充填した苗箱を水中に浸漬するが、苗箱を１個づつ浸漬してもよいが、複数個重ねて一度に浸漬すると効率的である。
【０００９】
【実施例】
本発明の実施例を、図１〜図６を参照して説明する。
まず、粒径２ｍｍ以下の成分の含有率が５０％以上の培土４を準備する。また、イグサ親株から株分けし、根を適当に調整した挿し苗５を用意する。本発明の効果は根の状態に大きい影響を受けないので、図６に示すように、挿し苗５の根の調整は従来法で用いる挿し苗ａに比較して厳密でなくてもよい。
図１及び図２は、それぞれ可撓性ポット育苗箱１及び受け箱６を示す。ポット育苗箱１は、底面に移植機の押出杆によりポット苗を押出すための押出し穴が開口した多数のポット状苗室２を一定間隔に有する。３はポット状苗室２のピッチ分だけ機械送りするための送り穴であり、例えば特公昭５７−２２２８８号公報に記載されたものと実質的に同一構造である。受け箱６は、ポット育苗箱１を収容する浅い有底箱体であり、底壁には多数の穴７が形成され、通水自在、かつイグサ苗の生長した根が苗床に向けて延びることができるようになっている。
【００１０】
上記可撓性ポット育苗箱１及び受け箱６を利用してイグサ苗を栽培するには、まず、図３に示すようにポット苗箱１を受け箱６に載置し、培土４を各ポット状苗室２に入れる。次いで、培土４を充填したポット苗箱１と受け箱６を、それらがすっぽりと入る水槽または水を入れた適当な容器に入れて約１分間浸漬する。水が培土４に浸透した（ｐＦ値約０）後、引き上げ、図４に示すように、挿し苗５を水を含んだ培土に挿入する。なお、培土４を充填した苗箱１、受け箱６のセットを上下に複数セット重ねて浸漬しても良い。
【００１１】
続いて、このポット苗箱１を、受け箱６とともに育苗用の苗床に設置し、イグサ苗の根がポット育苗箱１の押出穴及び受け箱６の穴７から出て苗床に届くまでは水を溜めた状態で管理し、その後は落水して畑状態で育苗管理を行う。植付けに際しては根切りをし、ポット育苗箱１と受け箱６を苗床から離し、ポット育苗箱１を受け箱６から分離して移植機にセットし本田に移植する。
【００１２】
【発明の効果】
本発明によれば、挿苗ガイドが不要であり、イグサ挿し苗のポット苗室への植付けを効率よくしかも簡便に行うことが出来る。しかも、十分な水を含んだ培土に植え付けるので、挿し苗の根の先端がポット苗室底部に達していない場合でも十分に活着するので苗挿し作業が容易である。また、本発明方法で用いるイグサ挿し苗は、図６の５に示すように、従来法で必要とされる挿し苗ａに比較して根の処理が簡単であり、作業の効率化が大いに促進される。
【図面の簡単な説明】
【図１】  本発明方法に用いるポット育苗箱の斜視図である。
【図２】  同じく受け箱の斜視図である。
【図３】  図１のポット育苗箱と図２の受け皿を重ねた状態の斜視図である。
【図４】  図３の状態のポット育苗箱のポット状苗室に土を入れ、挿し苗を挿入した状態を示す断面図である。
【図５】  図４に対応する、従来法における挿し苗の植付け状態を示す断面図である。
【図６】  本発明に用い得る挿し苗と従来法で用いる挿し苗の比較図である。
【図７】  従来法に用いる挿苗ガイドの斜視図である。
【図８】  従来のポット育苗箱、受け箱、挿苗ガイドを用いる挿し苗の半自動植付け方法を示す説明図である。
【符号の説明】
１  ポット育苗箱
２  ポット状苗室
４  培土
５  挿し苗
６  受け箱
【図１】
0003809469.tif 000002
【図２】
0003809469.tif 000003
【図３】
0003809469.tif 000004
【図４】
0003809469.tif 000005
【図５】
0003809469.tif 000006
【図６】
0003809469.tif 000007
【図７】
0003809469.tif 000008
【図８】
0003809469.tif 000009